(57)【特許請求の範囲】
【請求項１】
オゾンによる滅菌処理に使用されるオゾン滅菌管理装置であって、
オゾン発生器が接続可能に形成された管理装置本体、および空気中のオゾン濃度を測定するためのオゾンセンサーからなり、
前記管理装置本体は、
滅菌処理の終了の判断に使用されるＣＴ設定値を入力するための設定入力部と、
前記オゾン発生器の動作を制御する信号を出力する制御出力部と、
前記オゾンセンサーから出力されるオゾン濃度に基づいて滅菌処理の進捗を演算処理する演算部と、
前記オゾン濃度、前記ＣＴ設定値、および演算途中のデータを記憶する記憶部と、
前記オゾンセンサーから出力されるオゾン濃度および滅菌処理の進捗度を表示させる表示部と、
リセットボタンと、を有し、
前記設定入力部は、
前記ＣＴ設定値を表示するＣＴ設定値表示部、押下することにより前記ＣＴ設定値を増加させるアップボタン、および押下することにより前記ＣＴ設定値を減少させるダウンボタンにより構成されており、
前記演算部は、前記オゾン濃度に基づいて前記滅菌処理の経過におけるＣＴ測定値を算出し予め前記記憶部に記憶された前記ＣＴ設定値と比較して前記滅菌処理の終了を判断し、
前記表示部における滅菌処理の進捗度の表示は、
前記演算部が算出する前記ＣＴ測定値の前記ＣＴ設定値に対する百分率が、ゼロ％から１００％までを複数段階に分けた下位の段階から順にその上限以上に達したら、当該段階に対応する表示灯を点灯させて行い、
前記リセットボタンは、前記ダウンボタンと同時に押されることにより前記ＣＴ設定値をゼロにセットする
ことを特徴とするオゾン滅菌管理装置。
【請求項２】
前記オゾン発生器を動作させるための電力を供給するコネクタを有する
請求項１に記載のオゾン滅菌管理装置。
【請求項３】
外部警報機器を動作させるための電力を供給するコネクタを有する
請求項１または請求項２に記載のオゾン滅菌管理装置。
【発明の詳細な説明】
【技術分野】
【０００１】
本発明は、オゾンを使用して衣服等の滅菌を行うオゾン滅菌に使用する制御装置に関する。
【背景技術】
【０００２】
交通機関が発達した現代、世界の一地域で発症した感染症は短期間で他の地域に拡散する。そして、現在、鳥インフルエンザ、豚インフルエンザ等のウィルスによる感染症の大流行が懸念されており、これに対する医療体制の整備等が急がれている。
【０００３】
これらの感染症による感染者は、病院外で発見された場合には、外部と隔離された状態で救急自動車等により感染症指定医療機関に搬送されて治療される。この過程において、感染者の救急搬送、治療等における二次感染を防止するために、救急自動車の車内、救急隊員が着用する救護服、搬送された病院の医師等が着用する白衣および繰り返し使用される治療用器具等の滅菌を、効率的にかつ確実に行うことが求められる。
【０００４】
これまで、救護服等の滅菌は、着用状態で消毒液を散布して、または脱衣後に高圧蒸気雰囲気下、塩素雰囲気下に一定時間置き、若しくは消毒液に浸漬させる等によりなされていた。
【０００５】
しかし、消毒液または高圧蒸気を使用する方法では、滅菌処理の後に乾燥しなければ再使用できない。また、塩素を使用する方法では、使用後の残留塩素を無毒化処理が必要であり、滅菌設備が大型化するという問題がある。
【０００６】
そこで、消毒液および高圧蒸気等のような後に乾燥の必要がなく、また塩素のように使用後の無毒化処理が求められないオゾンを滅菌に使用する技術が提案されている（特許文献１，２）。
【先行技術文献】
【特許文献】
【０００７】
【特許文献１】特開２００６−５１１３７号公報
【特許文献２】特開平８−１５０１９４号公報
【発明の概要】
【発明が解決しようとする課題】
【０００８】
特許文献１で提案された滅菌乾燥消臭装置は、断熱ロッカー内に着衣、医療器具等を収容し、内部に設けられたオゾンランプに空気を通過させてオゾンを発生させこれを循環さ
せて滅菌処理を行う。
【０００９】
特許文献２で提案された衣類殺菌収納装置は、ロッカー形式の収納空間に衣類等を収容し、内部に設けられたオゾン発生装置および殺菌灯を動作させて滅菌処理を行う。
【００１０】
特許文献１，２で提案された滅菌装置は、オゾンを使用することにより小型化を実現している。しかし、特許文献１で提案された滅菌乾燥消臭装置は、滅菌処理の終了の判断を、タイマーを用いた時間管理により行う。特許文献２には、滅菌処理の終了の判断方法について記載されていない。従来、滅菌処理は、滅菌処理の積み重ねによる経験に基づいてその処理時間が設定され、または安全を期するため十分すぎる処理時間が設定されていた。そのため、例えばインフルエンザが流行したとき等の、滅菌対象物が多量に発生する場合には、これらを効率的に滅菌処理するのが困難であった。
【００１１】
また、例えば救急隊員が着用する防護服を、救急搬送を終えた帰還時に車内で滅菌することができれば、高価な防護服を多くスペアする必要がなくなる。
【００１２】
本発明は、上述の要請に応えるためになされたもので、オゾン滅菌を例えば移動車両の中または閉鎖空間等で行う場合に、滅菌処理を効率的に行うことができるオゾン滅菌管理装置を提供することを目的とする。
【課題を解決するための手段】
【００１３】
本発明に係るオゾン滅菌管理装置は、オゾンによる滅菌処理に使用されるオゾン滅菌管理装置であって、オゾン発生器が接続可能に形成された管理装置本体、および空気中のオゾン濃度を測定するためのオゾンセンサーからなり、前記管理装置本体は、滅菌処理の終了の判断に使用されるＣＴ設定値を入力するための設定入力部と、前記オゾン発生器の動作を制御する信号を出力する制御出力部と、前記オゾンセンサーから出力されるオゾン濃度に基づいて滅菌処理の進捗を演算処理する演算部と、前記オゾン濃度、前記ＣＴ設定値、および演算途中のデータを記憶する記憶部と、前記オゾンセンサーから出力されるオゾン濃度および滅菌処理の進捗度を表示させる表示部と、リセットボタンと、を有する。
【００１４】
前記設定入力部は、前記ＣＴ設定値を表示するＣＴ設定値表示部、押下することにより前記ＣＴ設定値を増加させるアップボタン、および押下することにより前記ＣＴ設定値を減少させるダウンボタンにより構成されている。
【００１５】
前記演算部は、前記オゾン濃度に基づいて前記滅菌処理の経過におけるＣＴ測定値を算出し予め前記記憶部に記憶された前記ＣＴ設定値と比較して前記滅菌処理の終了を判断する。
【００１６】
前記表示部における滅菌処理の進捗度の表示は、前記演算部が算出する前記ＣＴ測定値の前記ＣＴ設定値に対する百分率が、ゼロ％から１００％までを複数段階に分けた下位の段階から順にその上限以上に達したら、当該段階に対応する表示灯を点灯させて行う。
【００１７】
前記リセットボタンは、前記ダウンボタンと同時に押されることにより前記ＣＴ設定値をゼロにセットする。
【００１８】
好ましくは、前記オゾン発生器を動作させるための電力を供給するコネクタを有する。
【００１９】
また、好ましくは、外部警報機器を動作させるための電力を供給するコネクタを有する。
【発明の効果】
【００２０】
本発明によると、オゾン滅菌を例えば移動車両の中または閉鎖空間等で行う場合に、滅菌処理を効率的に行うことができるオゾン滅菌管理装置を提供することができる。
【図面の簡単な説明】
【００２１】
【図１】図１はオゾン滅菌管理装置の正面図である。
【図２】図２は図１における右側面図である。
【図３】図３はオゾン滅菌管理装置の構成および外部機器との関係を示す図である。
【図４】図４はオゾン滅菌管理装置の使用状態を示す図である。
【図５】図５はオゾン滅菌管理装置の動作を示すフローチャートである。
【図６】図６はオゾン滅菌管理装置の動作の一部を示すフローチャートである。
【図７】図７は他のオゾン滅菌管理装置の操作表示部の一部を示す図である。
【図８】図８は他のオゾン滅菌管理装置の動作を示すフローチャートである。
【発明を実施するための形態】
【００２２】
図１はオゾン滅菌管理装置１の正面図、図２は図１における右側面図、図３はオゾン滅菌管理装置１の構成および外部機器との関係を示す図、図４はオゾン滅菌管理装置１の使用状態を示す図、図５，６はオゾン滅菌管理装置１の動作を示すフローチャートである。
【００２３】
オゾン滅菌管理装置１は、筐体（ケース）２、オゾンセンサー３、操作表示部４および制御部５等からなる。
【００２４】
筐体２は、鉄板で略直方体に形成される。筐体２は、下側の面１１にゴム足１２，１２，１２が取り付けられ、上側の面１３には、持ち運びに便利なように取っ手１４が取り付けられている。
【００２５】
筐体２の前面１５となる側面の１つには、横方向の一方の側に偏って操作表示部４が設けられている。前面における操作表示部４から外れた他方の側の端近傍は、下側の面１１近傍を除き凹状となっている。前面１５における凹状となった部分には、後述するオゾンセンサー３を着脱可能に保持する濃度計保持部１７が設けられている（図３参照）。
【００２６】
筐体２における、前面１５の凹状となった側に直交する側面１６には、ＡＣ１００Ｖ用電源コードのコネクタ２１、オゾン発生器用電源のコネクタ２２、外部警報機器電源用のコネクタ２３およびオゾン発生器制御出力用のコネクタ２４が設けられている。  筐体２内には、コネクタ２１から受け入れたＡＣ１００Ｖの電源を、オゾンセンサー３、操作表示部４の各表示装置、ならびに制御部５の駆動等にそれぞれ適した電圧に変換するトランスおよび整流器等からなる電源部が組み込まれている。また、筐体２には、滅菌処理の完了を知らせる完了ブザーが取り付けられている。
【００２７】
オゾンセンサー３は、０．０１ｐｐｍ〜１０．００ｐｐｍの濃度範囲のオゾンを検出することができるものであり、検出したオゾン濃度に応じた０〜２Ｖのアナログ出力が可能である。オゾンセンサー３は、外形が直方体である。オゾンセンサー３は、動作電源コードおよびアナログ出力コードが纏められたカールコード２５により、筐体２内の電源部および制御部５に接続されている。オゾンセンサー３は、筐体２の凹状部分に設けられた濃度計保持部１７に保持される。オゾンセンサー３には、貫通孔が設けられた被保持部２６が側面に設けられ、折り畳み可能な吊り下げ用のフック２７が裏面の上端に取り付けられている。
【００２８】
操作表示部４は、操作部７および表示部８からなる
操作部７は、電源スイッチ３１、設定入力部３２、スタートボタン３３、リセットボタン３４およびブザースイッチ３５で構成される。
【００２９】
電源スイッチ３１は、オゾン滅菌管理装置１全体の電源をオン−オフするためのスイッチである。
【００３０】
設定入力部３２は、４つの７セグメントディスプレイにより４桁数値を表示するＣＴ設定値表示部３６、アップボタン３７およびダウンボタン３８で形成される。ＣＴ設定値表示部３６は、滅菌処理の終了を判断する指標であるＣＴ設定値を表示するものである。アップボタン３７は、押されることによりＣＴ設定値表示部３６に表示されるＣＴ設定値を大きくする。ダウンボタン３８は、押されることによりＣＴ設定値表示部３６に表示されるＣＴ設定値を小さくする。いずれも、押し初めは１桁目の数値が１つずつ変化し、押す時間が長くなるにつれて、順に２桁単位、３桁単位、４桁単位で数値が変化する。
【００３１】
スタートボタン３３は、押されることにより、オゾン滅菌管理装置１に接続されたオゾン発生器９を起動させ、同時にオゾンセンサー３が検出したオゾン濃度により滅菌処理の管理を開始する。
【００３２】
リセットボタン３４は、押されることにより、完了ブザーの動作およびコネクタ２３に接続されたパトライト（登録商標）７１等の外部警報機器の動作を停止させる。また、リセットボタン３４は、ダウンボタン３８と同時に押されることにより、ＣＴ設定値をリセット、つまり０にセットする機能を有する。
【００３３】
ブザースイッチ３５は、オンにすることにより、滅菌処理が終了したときに筐体２に取り付けられた完了ブザーを動作させる。
【００３４】
表示部８は、オゾン濃度表示部４１、経過時間表示部４２、ＣＴ測定値表示部４３、進捗度表示部４４および処理完了表示部４５からなる。
【００３５】
オゾン濃度表示部４１は、オゾンセンサー３が検出したオゾン濃度を表示する。視認し易さを考慮して、表示される濃度は、制御部５において演算された一定時間間隔ごとの平均値である。経過時間表示部４２は、滅菌処理が開始されてからの経過時間を表示する。ＣＴ測定値表示部４３は、経過時間表示部４２に表示される経過時間におけるＣＴ値（ＣＴ値については後述する）を表示する。
【００３６】
進捗度表示部４４は、５つの表示灯で構成される。５つの表示灯は、ＣＴ測定値表示部４３の下に、ＣＴ測定値表示部の４つの７セグメントディスプレイの並びと同方向に並べて配されている。５つの表示灯は、左から順に、ＣＴ測定値表示部４３の表示値がＣＴ設定値表示部の表示値の２０％以上、４０％以上、６０％以上、８０％以上、１００％以上になったときに点灯する。
【００３７】
処理完了表示部４５は、進捗度表示部４４の並びの右に設けられ、オゾンによる滅菌処理が終了したとき表示される。
【００３８】
制御部５は、図４を参照して、入出力部４７、演算部４８および記憶部４９からなる。入出力部４７は、操作部７、表示部８およびオゾンセンサー３との情報の受け渡し、ならびに接続するオゾン発生器９および外部警報装置等の電源のオンオフ等を行う。入出力部４７は、例えば、オゾンセンサーからのオゾン濃度に応じたアナログ出力を、演算部４８が処理可能なデジタルデータに変換するＡ／Ｄ変換器、およびオゾン発生器および外部警報装置等の電源のオンオフを行うデジタルリレーを備える。
【００３９】
演算部４８は、種々の情報を演算処理するＣＰＵで構成される。記憶部４９は、操作部７から入力されたオゾン滅菌処理に関する条件等、滅菌処理においてオゾンセンサーにより計測されたオゾン濃度の経時データおよび演算の途中に生じ消去されるデータ等を記憶する。記憶部４９は、半導体による大容量の揮発性メモリ（ＤＲＡＭ）および不揮発性メモリ（フラッシュメモリ）で構成される。
【００４０】
次に、オゾン滅菌管理装置１を使用した滅菌処理について説明する。
【００４１】
図４を参照して、滅菌処理の準備として、オゾン滅菌管理装置１にオゾン発生器９および外部警報機、すなわちここではパトライト（登録商標）７１が接続される。オゾン滅菌管理装置１とオゾン発生器９とは、電源ケーブル７２およびオゾン滅菌管理装置１からオゾン発生器９に対して出力されるデータコード７３で接続される。電源ケーブル７２の一端はオゾン発生器用電源のコネクタ２２に連結され、データコード７３の一端はオゾン発生器制御出力用のコネクタ２４に連結される。
【００４２】
オゾン滅菌管理装置１とパトライト（登録商標）７１とは、電源ケーブル７４で接続される。電源ケーブル７４は、外部警報機器電源用のコネクタ２３に連結される。続いて、オゾン滅菌管理装置１の電源コード７５がコネクタ２１に連結される。
【００４３】
オゾン滅菌管理装置１、オゾン発生器９は、例えば救急出動して患者を病院に送り届けた後の帰還途中の救急自動車の搬送室に置かれ、パトライト（登録商標）（超小型回転灯）５１は運転室に置かれる。搬送室には、救急隊員が耐オゾンガスマスクを着用した救急隊員が乗車する。オゾンセンサー３は、オゾン発生器９から離れた位置に設置されるのが好ましい。筐体２に保持された状態でオゾン滅菌管理装置１をそのような位置に置くことができない場合には、オゾンセンサー３は、濃度計保持部１７から外されて、オゾン発生器９から離れた位置に設置される。オゾンセンサー３単独の設置には、被保持部２６またはフック２７が利用される。
【００４４】
また、例えば、被災地においては、オゾン滅菌管理装置１、オゾン発生器９は、滅菌対象物が収容された仮設テント内に置かれ、パトライト（登録商標）７１はその外に置かれる。
【００４５】
外部警報機器は、パトライト（登録商標）７１等の目視による確認に換えて、騒音等の問題が生じなければ、警報ブザー等の音による確認手段を使用できる。
【００４６】
オゾン滅菌のための各機器が所定の場所に設置されたら、オゾン滅菌管理装置１の電源スイッチを入れ、オゾンによる滅菌処理の終了条件であるＣＴ設定値を、ＣＴ設定値表示
部３６の表示を確認しながら、設定入力部３２からオゾン滅菌管理装置１に入力する。ＣＴ値とは、オゾン濃度（ｐｐｍ）と滅菌時間（分）との積であり、一般にオゾンによる滅菌処理を行うときの処理時間の目安とされるものである。ＣＴ設定値は、オゾン滅菌管理装置１においては滅菌処理における実測オゾン濃度と経過時間との積と比較され、滅菌処理の終了の判断に利用される。ＣＴ設定値は、滅菌処理の対象とする菌等のオゾン耐性の程度に応じて決定され入力される。入力されたＣＴ設定値（Ｅｃｔ）は、記憶部４９に記憶される。
【００４７】
滅菌処理は、操作部７のスタートボタン３３が押されることにより開始される。
【００４８】
図５を参照して、オゾン滅菌管理装置１は、スタートボタン３３が押されたことを検出すると、デジタルリレーを動作させ、コネクタ２３に接続されたパトライト（登録商標）７１を点灯させ、コネクタ２１に接続されたオゾン発生器９に電力の供給を可能とする。また、これと同時に、オゾン発生器制御出力用のコネクタ２４からオゾン発生器９に起動信号を発し、演算部４８は、経過時間Ｍｔを管理する管理タイマー、およびＣＴ測定値（Ｓｃｔ）をリセット（Ｍｔ＝０，Ｓｃｔ＝０）する（Ｓ１）。
【００４９】
続いて、演算部４８は、オゾン濃度Ｃｏのサンプリング間隔を管理するためのサンプリングタイマーの値Ｔｓをリセット（Ｔｓ＝０）する（Ｓ２）。以後、ＣＴ測定値表示部４３には計測されたオゾン濃度に基づくＣＴ値が表示され、経過時間表示部４２には経過時間Ｍｔが表示されて、オゾン滅菌管理装置１による実質的なＣＴ値管理が行われる。
【００５０】
演算部４８は、オゾンセンサー３からの出力を入出力部４７がデジタル化したデータ（オゾン濃度）を繰り返し読み込み、それを積算するとともに読み込み回数を記憶部４９記憶する。そして、演算部４８は、予めサンプリング間隔として記憶された時間Ｔｅ（分）が経過する（Ｔｓ≧Ｔｅ）と（Ｓ３）、記憶部４９からオゾン濃度の積算値および積算回数を読み出し、その間のオゾン濃度（平均オゾン濃度）Ｃｏを算出する。
【００５１】
演算部４８は、サンプリングタイマーの値Ｔｓ（分）と算出（サンプリング）されたオゾン濃度Ｃｏ（ｐｐｍ）との積をＣＴ測定値Ｓｃｔに加算する（Ｓ４）。サンプリング間隔Ｔｅは、０．５〜５秒に設定される。サンプリング間隔Ｔｅをこれ以下としても、またはこれ以上としてもよい。
【００５２】
なお、ＣＴ測定値Ｓｃｔに加算する値として、サンプリング間隔として設定された時間Ｔｅ（分）とサンプリングされたオゾン濃度Ｃｏ（ｐｐｍ）との積を用いてもよい。演算部４８（ＣＰＵ）の処理速度を考慮すると、実際のサンプリング間隔Ｔｓ（分）を用いて積算した場合との差は無視できる程度に小さいからである。
【００５３】
ＣＴ測定値表示部４３は、ＣＴ測定値Ｓｃｔが更新されるごとに更新されたＣＴ測定値Ｓｃｔが表示される。
【００５４】
図６を参照して、演算部４８は、ＣＴ測定値Ｓｃｔにサンプリング間隔Ｔｓとサンプリングされたオゾン濃度Ｃｏとの積が加算されるごとに、加算されたＣＴ測定値Ｓｃｔを、ＣＴ設定値Ｅｃｔの２０％、４０％、６０％、８０％の数値およびＣＴ設定値Ｅｃｔと比較する（Ｓ５，Ｓ６）。この比較の結果、ＣＴ測定値Ｓｃｔが２０％以上となったとき進捗度表示部４４の２０％に対応する表示灯を点灯させる（Ｓ１１）。ＣＴ測定値Ｓｃｔが４０％以上となったときは、４０％に対応する表示灯を点灯させ（Ｓ１２）、６０％以上、８０％以上となったときも同様にそれぞれ対応する表示灯を点灯させる（Ｓ１３，Ｓ１４）。
【００５５】
更新されたＣＴ測定値ＳｃｔがＣＴ設定値Ｅｃｔ以下のとき（Ｓ６でＮＯ）、サンプリングタイマーの値Ｔｓをリセットして（Ｓ２）オゾン濃度のサンプリング等を繰り返す（Ｓ３，Ｓ４）。
【００５６】
比較の結果、ＣＴ測定値ＳｃｔがＣＴ設定値Ｅｃｔ以上のとき（Ｓ６でＹＥＳ）、演算部４８は、進捗度表示部４４の１００％の表示灯を点灯させる。オゾン滅菌管理装置１は、コネクタ２４からオゾン発生器９に向けて動作の停止信号を発する。なお、オゾン発生器用電源のコネクタ２２からはこの後もオゾン発生器９に電力が供給され、オゾン発生器９は、オゾンランプ消灯後一定時間オゾンランプの冷却のために送風機が稼働する（Ｓ７）。
【００５７】
また、オゾン滅菌管理装置１は、入出力部４７にオゾン発生器９およびパトライト（登録商標）７１への電力供給を停止させ、処理完了表示部４５の表示灯を点灯させ、完了ブザーを動作させる（Ｓ７）。
【００５８】
オゾン滅菌管理装置１が、帰還する救急自動車内で使用される場合には、滅菌処理の終了は、パトライト（登録商標）７１の消灯により運転席の隊員に知らされ、完了ブザーの音により搬送室の隊員に知らされる（Ｓ７）。
【００５９】
オゾン滅菌管理装置１は、オゾンセンサー３と一体化され持ち運び可能であり、かつオゾン発生器９に接続してそのオンオフ動作を制御することができるため、前述した救急自動車の車内に限られず、どのような場所でも滅菌処理を行うことができる。
【００６０】
例えば、オゾン滅菌管理装置１を使用することにより、地震等の被災地等の衛生上問題が有る地域においても、可搬式発電機、仮設テント等を利用して効率よく治療用器具等の滅菌を行うことができる。
【００６１】
図７は他のオゾン滅菌管理装置１Ｂの操作表示部４Ｂの一部を示す図である。
【００６２】
オゾン滅菌管理装置１Ｂは、オゾン滅菌管理装置１の機能に加えて、滅菌環境のオゾン濃度を設定範囲に維持する機能を有する。
【００６３】
オゾン滅菌管理装置１Ｂにおける操作表示部４Ｂは、操作部７Ｂに、管理方法切換スイッチ３９Ｂおよび濃度上下限設定部４０Ｂを有する。
【００６４】
管理方法切換スイッチ３９Ｂは、オゾン発生器９の管理を、ＣＴ値で行うか（「ＣＴ値管理」）またはオゾン濃度で行うか（「濃度管理」）を選択するのに使用される。管理方法切換スイッチ３９ＢでＣＴ値管理が選択された場合には、オゾン滅菌管理装置１と同様にＣＴ設定値が設定され、オゾン滅菌処理において、オゾン滅菌管理装置１と全く同じ動作を行う。このとき、濃度上下限設定部４０Ｂは、（条件変更）入力を行うことができない（入力を受け付けない）。
【００６５】
管理方法切換スイッチ３９Ｂで濃度管理が選択された場合には、濃度上下限設定部４０Ｂの入力が許可され、ＣＴ設定値の変更が禁止される。
【００６６】
濃度上下限設定部４０Ｂは、濃度入力部５１Ｂおよび設定濃度表示部５２Ｂからなる。濃度入力部５１Ｂは、上限選択ボタン５３Ｂ、下限選択ボタン５４Ｂ、アップボタン５５Ｂおよびダウンボタン５６Ｂで形成される。設定濃度表示部５２Ｂは、オゾン濃度上限表示部５７Ｂおよびオゾン濃度下限表示部５８Ｂからなる。オゾン濃度上限表示部５７Ｂおよびオゾン濃度下限表示部５８Ｂは、それぞれ、オゾン発生器９の運転を濃度管理で行わせるときの、設定オゾン濃度上限値Ｃｓおよび設定オゾン濃度下限値Ｃｌを表示する。
【００６７】
オゾン滅菌管理装置１Ｂにおけるオゾン濃度上限値およびオゾン濃度下限値の設定は、次のようにして行われる。
【００６８】
オゾン濃度上限値を設定する場合、上限選択ボタン５３Ｂが押される。上限選択ボタンが押下されると、上限選択ランプ５９Ｂが点灯し、オゾン濃度上限値の設定が可能となる。オゾン濃度上限表示部５７Ｂに表示されるオゾン濃度上限値は、アップボタン５５Ｂを押すことにより増加し、ダウンボタン５６Ｂを押すことにより減少する。いずれも長く押すことにより、その数値変化速度が速くなる。同様に、下限選択ボタン５４Ｂが押されると、下限選択ランプ６０Ｂが点灯し、アップボタン５５Ｂおよびダウンボタン５６Ｂにより、オゾン濃度下限表示部５８Ｂに表示されるオゾン濃度下限値を変更することができる。オゾン濃度上限値は、例えば０．１ｐｐｍであり、オゾン濃度下限値は、例えば０．０６ｐｐｍである。
【００６９】
上限選択ランプ５９Ｂおよび下限選択ランプ６０Ｂは、「濃度管理」が選択されているときはいずれかが点灯し、「ＣＴ値管理」が選択されているときはいずれも消灯する。
【００７０】
オゾン滅菌管理装置１Ｂにおいてオゾン滅菌管理装置１と同じ構成の部分についてはその説明を省略し、図７において図１と同じ符合を付す。
【００７１】
次に、オゾン滅菌管理装置１Ｂによるオゾン発生器の制御について説明する。
【００７２】
図８はオゾン滅菌管理装置１Ｂの動作を示すフローチャートである。
【００７３】
滅菌処理は、操作部７Ｂのスタートボタン３３が押されることにより開始される。
【００７４】
オゾン滅菌管理装置１Ｂは、スタートボタン３３が押されたことを検出すると、コネク
タ２３に接続されたパトライト（登録商標）７１を点灯させ、オゾン発生器制御出力用のコネクタからオゾン発生器に起動信号を発する。同時に、オゾン滅菌管理装置１Ｂは、経過時間Ｍｔを管理する管理タイマーをリセット（Ｍｔ＝０）する（Ｓ２１）。
【００７５】
続いて、オゾン滅菌管理装置１Ｂは、オゾン濃度Ｃｏのサンプリング間隔を管理するためのサンプリングタイマーの値Ｔｓをリセット（Ｔｓ＝０）する（Ｓ２２）。以後、ＣＴ測定値表示部４３には計測されたオゾン濃度に基づくＣＴ値が表示され、経過時間表示部４２には経過時間Ｍｔが表示される。
【００７６】
オゾン滅菌管理装置１Ｂは、サンプリングタイマーの値Ｔｓが予め設定されたサンプリング間隔の時間Ｔｅに達するまでオゾンセンサー３からの出力をデジタル化して繰り返し読み込む。サンプリングタイマーの値Ｔｓのリセット後、時間Ｔｅ（分）が経過する（Ｔｓ≧Ｔｅ）と（Ｓ２３）、その間の平均オゾン濃度Ｃｏを算出し、オゾン濃度表示部４１に表示する。
【００７７】
オゾン滅菌管理装置１Ｂは、平均オゾン濃度Ｃｏが設定オゾン濃度上限値Ｃｌおよび設定オゾン濃度下限値Ｃｓの範囲であるかどうかを判断し（Ｓ２５）、平均オゾン濃度Ｃｏがこの範囲内である場合（Ｓ２５でＹＥＳ）、サンプリングタイマーをリセットしてオゾン濃度の測定を繰り返す（Ｓ２２〜Ｓ２５）。
【００７８】
平均オゾン濃度Ｃｏが設定オゾン濃度上限値Ｃｌを超えたときには、オゾン滅菌管理装置１Ｂは、オゾン発生器制御出力用のコネクタ２４からオゾン発生器９にオゾン発生の停止信号を発信する（Ｓ２６）。
【００７９】
平均オゾン濃度Ｃｏが設定オゾン濃度下限値Ｃｓを下回ったときには、オゾン滅菌管理装置１Ｂは、オゾン発生器制御出力用のコネクタ２４からオゾン発生器９にオゾン発生動作の信号を発信する（Ｓ２７）。
【００８０】
オゾン発生器９の能力に対して過剰な容積の滅菌空間であり、常に平均オゾン濃度Ｃｏが設定オゾン濃度下限値Ｃｓ未満の場合には、オゾン発生器９は停止されることなく連続的に動作する。また、濃度入力部５１Ｂは、オゾン滅菌管理装置１Ｂが動作中であっても設定オゾン濃度上限値Ｃｌおよび設定オゾン濃度下限値Ｃｓを変更させることができる。したがって、オゾン滅菌管理装置１Ｂは、オゾン濃度表示部４１に表示される平均オゾン濃度Ｃｏを参考に、滅菌処理中に設定オゾン濃度上限値Ｃｌまたは設定オゾン濃度下限値Ｃｓを変更することができる。
【００８１】
オゾン滅菌管理装置１Ｂは、上記動作を行いながら、常にリセットボタン３４の押下を監視し（Ｓ２８）、リセットボタン３４が押下されると（Ｓ２８でＹＥＳ）、オゾン発生器９のオゾン発生を停止させ、パトライト（登録商標）７１を消灯させ、および完了ランプ４５を点灯させる。なお、図８ではリセットボタン３４の押下の監視をシーケンシャルな動作として記載したが、実際には、リセットボタン３４の押下はＳ２１〜Ｓ２７のいずれの段階でも認識可能な優先度の高い割り込み処理で監視される。
【００８２】
オゾン滅菌管理装置１Ｂは、特に、病院、保育園、学校および図書館等の公共の場において、オゾン発生器９が生成するオゾン濃度を人体に害を及ぼさない程度に低く抑えて継続的に環境の滅菌を行う場合に適する。
【００８３】
上述の実施形態において、オゾン滅菌管理装置１，１Ｂ、およびオゾン滅菌管理装置１，１Ｂの各構成または全体の構造、形状、寸法、個数、材質などは、本発明の趣旨に沿って適宜変更することができる。
【産業上の利用可能性】
【００８４】
本発明は、オゾンを使用して衣服等の滅菌を行うオゾン滅菌に使用する制御装置に利用することができる。
【符号の説明】
【００８５】
１，１Ｂ  オゾン滅菌管理装置
４  操作表示部（表示部）
９  オゾン発生器
２２  （オゾン発生器用）コネクタ
２３  （外部警報機器用の）コネクタ
２４  コネクタ（制御出力部）
３２  設定入力部
３４  リセットボタン
３７  アップボタン
３８  ダウンボタン
４１  オゾン濃度表示部
４７  入出力部（制御出力部）
４８  演算部
４９  記憶部
【図２】
0005538037.tif 000002
【図３】
0005538037.tif 000003
【図４】
0005538037.tif 000004
【図５】
0005538037.tif 000005
【図６】
0005538037.tif 000006
【図８】
0005538037.tif 000007
【図１】
0005538037.tif 000008
【図７】
0005538037.tif 000009